(57)【要約】【課題】蓄電池が空のときにもヘッドホンを使えるようにする。【解決手段】充電電源装置（１）への電気接続線（４）の充電プラグ（３，３’）を差し込むための接続ブッシュと、少なくとも１つの小型スピーカー（７）と、オーディオ電子装置（６）と、受信部（８）と、蓄電池の充填プロセスを監視するための充電電子装置（２）とを備える。蓄電池が空のときにもヘッドホンを使えるようにするために、信号伝送をするためにオーディオ機器（５）との間の電気接続線（１４）の信号プラグ（１３，１３’）を差し込むためのブッシュが設けられており、前記信号プラグ（１３，１３’）が差し込まれているとき、オーディオ電子装置（６）は、前記信号プラグ（１３，１３’）を介して得られる信号だけをスピーカー（７）へ伝える。【選択図】　図２
2004129253.tif 000002
【特許請求の範囲】
【請求項１】
　充電電源装置（１）への電気接続線（４）の充電プラグ（３，３’）を差し込むための接続ブッシュと、少なくとも１つの小型スピーカー（７）と、オーディオ電子装置（６）と、受信部（８）と、蓄電池の充填プロセスを監視するための充電電子装置（２）とを備える、少なくとも１つの蓄電池によって作動するワイヤレスヘッドホンにおいて、
　信号伝送をするためにオーディオ機器（５）との間の電気接続線（１４）の信号プラグ（１３，１３’）を差し込むためのブッシュが設けられており、前記信号プラグ（１３，１３’）が差し込まれているとき、オーディオ電子装置（６）は、前記信号プラグ（１３，１３’）を介して得られる信号だけをスピーカー（７）へ伝えることを特徴とするヘッドホン。
【請求項２】
　前記信号プラグ（１３，１３’）が差し込まれているとき、オーディオ電子装置（６）が受信部（８）をオフにすることを特徴とする請求項１に記載のヘッドホン。
【請求項３】
　前記充電プラグ（３）と前記信号プラグ（１３，１３’）を交互に入れるための共通のブッシュが設けられており、これらのプラグ（３，３’，１３，１３’）の導電性表面と絶縁性表面の接触状態が異なることによって、差し込まれているプラグの種類をオーディオ電子装置（６）が認識することを特徴とする請求項１または２に記載のヘッドホン。
【請求項４】
　前記信号プラグ（１３）が通常のステレオジャックプラグであることを特徴とする請求項１〜３のいずれか１項に記載のヘッドホン。
【発明の詳細な説明】
【技術分野】
【０００１】
　本発明は、充電電源装置への電気接続線の充電プラグを差し込むための接続ブッシュと、少なくとも１つの小型スピーカーと、オーディオ電子装置と、受信部と、蓄電池の充填プロセスを監視するための充電電子装置とを備える、少なくとも１つの蓄電池によって作動するワイヤレスヘッドホンに関するものである。このような種類のヘッドホンは、携帯の快適性を高めたり、オーディオ分野における応用範囲を広げるため、あるいはテレビ受信機、ハンズフリー通話装置などの付属品として、利用される機会がますます増えている。
【背景技術】
【０００２】
　蓄電池が１部分で構成されているか、多部分で構成されているかに関わりなく、本件出願および特許請求の範囲では読みやすさを考慮して単数形を使ったり複数形を使ったりしているが、これは限定を意味するものではない。同様に、「少なくとも１つの小型スピーカー」という表現を使うことがあるが、それは、少なくとも２つのスピーカーが設けられるケースが大半ではあるが、この種のスピーカーが１つしか設けられない利用ケースもあるからである。
【０００３】
　ワイヤレスヘッドホンでは、無線や赤外線によって情報伝達が行われ、ヘッドホンには、ヘッドホンのイアーパッドにある受信機と小型スピーカーを作動させるバッテリーまたは蓄電池が設けられるが、実際には蓄電池のほうが全面的に広く普及しており、バッテリーの使用が話題になることは稀である。そこで、ヘッドホンから取り外すことなく蓄電池の充電を行えるようにするために、相応のブッシュが設けられており、充電電源装置のプラグがこれに差込可能であり、そのようにして蓄電池が充電される。この場合、蓄電池の充電状態をチェックして充電プロセスを適切に制御したり、蓄電池が容量の限界まで充電されたときに終了させる、適当な電子装置がヘッドホンに設けられるのが普通である。
【発明の開示】
【発明が解決しようとする課題】
【０００４】
　たとえば汎用的な利用性をもたせるため、あるいは、蓄電池が空になっていたり故障している場合でも利用を可能にするためといった種々の理由から、このような種類のヘッドホンを、スピーカーに十分な強度で信号が直接供給される通常のケーブルでも、作動させることができるのが望ましい。
【課題を解決するための手段】
【０００５】
　この問題を解決するために本発明は、通常の信号ケーブルを差し込むためのブッシュをヘッドホンに設け、さらに、このブッシュに信号ケーブルのプラグが差し込まれると受信電子装置をオフにして、ケーブルを通じて伝送されるデータを、ヘッドホンのイアーパッドにある小型スピーカーへと伝送する電子装置ないし切換機構を設けている。
【０００６】
　本発明の有利な一つの形態では、充電プロセスと信号伝送を行うための組み合わされたブッシュを設け、このブッシュへ選択的に、オーディオケーブルの通常のジャックプラグを差し込むか、または本発明に基づいて寸法に関しては類似した構成をもち、異なる導電性表面と絶縁性表面を備えるように構成された、充電ケーブルのジャックプラグを差し込むことができ、表面領域の導電性が異なる構成になっている結果、機械式または電子式のいずれかで切換が行われることが意図される。この形態によれば、専用のケーブルを用いて蓄電池に充電しながら、同時にヘッドホンを通常の有線ヘッドホンとして機能させることも可能である。
【発明を実施するための最良の形態】
【０００７】
　本発明と対比する従来技術との両方を純粋に模式的に示す添付の図面を参照しながら、本発明について詳しく説明する。
【０００８】
　図面には、電力供給装置と、充電電源装置またはオーディオ機器と、ケーブルでこれにつながれたジャックプラグとが、それぞれごく模式的に示されており、ブッシュすなわちヘッドホンで電流が取り出される相応の部位も、同じく模式的に図示されている。図面を見やすくするためにブッシュ自体は輪郭で描かれてはおらず、これらの接触部位によってのみ推測できる。
【０００９】
　図１は、ケーブル４によって充電プラグ３と接続された充電電源装置１を示しており、２極に構成された充電プラグのジャックは、充電電子装置２のブッシュ（電流取り出し部位）に適合するように接触し、それによって（図示しない）蓄電池を充電するのに必要な電流が取り出されて転送される。
【００１０】
　図２は、本発明の基本的な実施形態を示しており、すなわち、充電プラグ３を入れるための（図１に示すものと同様に構成された）ブッシュと、ケーブル１４によってオーディオ機器５と接続された、通常のステレオジャックプラグ１３を入れるための別のブッシュという２つのブッシュを示している。
【００１１】
　ステレオジャックプラグ１３は３つの導電性の表面領域を有しており、これらの表面領域は、２つの絶縁性の表面領域（図中黒塗り部分、以下同じ）によって互いに分離されており、通常の仕方でオーディオ電子装置６の信号を取り出して、ヘッドホンのスピーカー７に供給する。ワイヤレス動作のときには（図示しない）送信設備との接続を保って、これからオーディオ信号を受信する受信電子装置８が、オーディオ電子装置６と接続されており、有利にはこれに一体化されている。この受信電子装置８は、ステレオジャックプラグ１３をブッシュに差し込むと停止し、有利には、単に通電のない状態に切り換えられる。
【００１２】
　図３および図４は、直接的に図示してはいないが、プラグ３’，１３’のコンポーネントとして推測できるただ１つのブッシュを、充電プロセスだけでなく、ケーブルを用いた直接的な電力供給にも利用することができる、本発明の特別に有利な実施形態を示している。
【００１３】
　図３からわかるように、充電プラグ３’の幾何学的な配列は、ブッシュの中で充電電子装置２の接触部が、充電プラグ３’の互いに分離した両方の導電性の表面領域と接触し、それに対して、オーディオ電子装置６に通じる３つの接触子ないしピンには１つの接触部しかなく、他の両方の接触ピンまたはばね等は充電プラグ３’の絶縁性の表面領域に当り、それによってオーディオ電子装置６およびこれに伴って最終的にスピーカー７には電気が通らず、したがって不活動の状態に切り換わるように選択されている。
【００１４】
　相応に構成されたステレオプラグ１３’が同一のブッシュに差し込まれると、このステレオプラグは、充電電子装置２が少なくとも１つの接触部位で絶縁性の領域に当り、それに対して、オーディオ電子装置６の接触部位はすべて導電性の領域に当るので、伝送されたステレオ信号を受信してスピーカー７に転送することができるような、導電性領域と絶縁性領域の配列および配置を有している。この場合にも、オーディオ電子装置６は相応のステレオプラグ１３’の接触に依存して直接的または機械的に、ワイヤレスのデータ伝送の受信を担当するオーディオ電子装置６の受信部８をオフにし、ないしは停止させることが意図される。
【００１５】
　図示されている説明した例から明らかなように、ブッシュの構成、およびこれに伴うプラグの構成は多様な形で行うことができ、ステレオプラグ１３，１３’として市販のステレオジャックプラグを用いることも十分に可能であり、このことは、特に、本発明に基づく装備を備えるヘッドホンの互換性にとって有利である。当然ながら、幾何学的な観点からであれ機能面の関連からであれ、さまざまな要求を満たすプラグの構成や配列を案出することは問題なく可能であり、本発明を知った当業者にとっては容易であり、ブッシュの中で接触ピンないし接点を相応に配置すれば、ヘッドホンを有線で作動させながら、同時に蓄電池を充電することを可能にするコンビネーションプラグを設けることも可能である。
【００１６】
　本発明は以下の実施形態を備える。
１．充電電源装置（１）への電気接続線（４）の充電プラグ（３，３’）を差し込むための接続ブッシュと、少なくとも１つの小型スピーカー（７）と、オーディオ電子装置（６）と、受信部（８）と、蓄電池の充填プロセスを監視するための充電電子装置（２）とを備える、少なくとも１つの蓄電池によって作動するワイヤレスヘッドホンにおいて、
　信号伝送をするためにオーディオ機器（５）との間の電気接続線（１４）の信号プラグ（１３，１３’）を差し込むためのブッシュが設けられており、前記信号プラグ（１３，１３’）が差し込まれているとき、オーディオ電子装置（６）は、前記信号プラグ（１３，１３’）を介して得られる信号だけをスピーカー（７）へ伝えることを特徴とするヘッドホン。
２．前記信号プラグ（１３，１３’）が差し込まれているとき、オーディオ電子装置（６）が受信部（８）をオフにすることを特徴とする１項に記載のヘッドホン。
３．前記充電プラグ（３）と前記信号プラグ（１３，１３’）を交互に入れるための共通のブッシュが設けられており、これらのプラグ（３，３’，１３，１３’）の導電性表面と絶縁性表面の接触状態が異なることによって、差し込まれているプラグの種類をオーディオ電子装置（６）が認識することを特徴とする１項または２項に記載のヘッドホン。
４．前記信号プラグ（１３）が通常のステレオジャックプラグであることを特徴とする１項１〜３項のいずれか１項に記載のヘッドホン。
【産業上の利用可能性】
【００１７】
　本発明はオーディオ装置などのヘッドホンに適用できる。
【図面の簡単な説明】
【００１８】
【図１】ジャックプラグとして構成された、通常の充電ケーブルのプラグである。
【図２】このような充電プラグと、通常のステレオジャックプラグを互いにすぐ近くに並べた図である。
【図３】充電プロセスに利用する場合における、本発明の有利な実施形態によるブッシュである。
【図４】オーディオ信号の伝送に利用する場合における、同一のブッシュである。
【符号の説明】
【００１９】
　１　充電電源装置
　３　充電プラグ
　４　電気接続線
　５　オーディオ機器
　６　オーディオ電子装置
　７　小型スピーカ
　８　受信部
　１３　信号プラグ
　１４　電気接続線
【図１】
2004129253.tif 000003
【図２】
2004129253.tif 000004
【図３】
2004129253.tif 000005
【図４】
2004129253.tif 000006